(57)【要約】【課題】より利便性が高い通信をより広範囲で行うことが可能であり、かつ低コスト化が図れる通信システム、半導体装置、電子機器および通信方法を提供すること。【解決手段】第１の通信距離を有する第１の無線通信方式により通信を行う第１の通信部、および第１の通信距離よりも短い第２の通信距離を有する第２の無線通信方式により通信を行う第２の通信部を備えた第１の電子機器１４と、第２の通信部と通信を行う第２の無線通信方式の第３の通信部、および第２の通信部から送信される起動信号に基づいて予め定められた情報処理を実行する情報処理部を備えた第２の電子機器１６と、を含む。【選択図】図１
2018137564.tif 000002
【特許請求の範囲】
【請求項１】
第１の通信距離を有する第１の無線通信方式により通信を行う第１の通信部、および前記第１の通信距離よりも短い第２の通信距離を有する第２の無線通信方式により通信を行う第２の通信部を備えた第１の電子機器と、
前記第２の通信部と通信を行う前記第２の無線通信方式の第３の通信部、および前記第２の通信部から送信される起動信号に基づいて予め定められた情報処理を実行する情報処理部を備えた第２の電子機器と、
を含む通信システム。
【請求項２】
前記第１の通信部に向け標識信号を送信する前記第１の無線通信方式の第４の通信部を備えた第３の電子機器をさらに含み、
前記第１の通信部が前記第４の通信部からの標識信号を受信したことが前記第２の通信部から前記第３の通信部に前記起動信号として送信される
請求項１に記載の通信システム。
【請求項３】
前記情報処理部はＧＰＳ受信部、および地図表示機能を備え、
前記第３の通信部が前記起動信号を受信した場合に、前記情報処理部は前記第３の電子機器の位置を前記地図表示機能により地図上に表示する
請求項２に記載の通信システム。
【請求項４】
前記第１の電子機器は監視対象領域の監視データを検知するセンサを備えるとともに監視対象領域内に配置され、
前記第１の通信部からの前記監視データを含む信号を受信し監視データを収集する前記第１の無線通信方式の第５の通信部を備えた第４の電子機器をさらに含む
請求項１に記載の通信システム。
【請求項５】
前記情報処理部は前記第１の電子機器の保守情報を備え、
前記情報処理部は、前記起動信号に基づいて前記保守情報を前記第３の通信部から前記第２の通信部に送信する
請求項４に記載の通信システム。
【請求項６】
前記第４の電子機器が前記監視データを受信できない場合に、
前記第２の通信部から前記第３の通信部に前記監視データが送信され、
前記情報処理部は、前記第３の通信部によって受信された前記監視データを前記起動信号として前記監視データの収集を行う
請求項４に記載の通信システム。
【請求項７】
第１の通信距離を有する第１の無線通信方式により通信を行う第１の通信回路、および前記第１の通信距離よりも短い第２の通信距離を有する第２の無線通信方式により通信を行う第２の通信回路を備えた半導体装置であって、
前記第２の無線通信方式の通信部、および情報処理を実行する情報処理部を備えた電子機器に前記第２の通信回路から前記通信部に起動信号を送信し、前記情報処理部により予め定められた処理を実行させる
半導体装置。
【請求項８】
第１の通信距離を有する第１の無線通信方式により通信を行う第１の通信部、および前記第１の通信距離よりも短い第２の通信距離を有する第２の無線通信方式により通信を行う第２の通信部を備えた通信機器の、前記第２の通信部と通信を行う前記第２の無線通信方式の第３の通信部、および前記第２の通信部から前記第３の通信部に送信される起動信号に基づいて予め定められた情報処理を実行する情報処理部を備えた
電子機器。
【請求項９】
第１の通信距離を有する第１の無線通信方式により通信を行う第１の通信部、および前記第１の通信距離よりも短い第２の通信距離を有する第２の無線通信方式により通信を行う第２の通信部を備えた第１の電子機器から、前記第２の通信部と通信を行う前記第２の無線通信方式の第３の通信部、および情報処理を実行する情報処理部を備えた第２の電子機器に前記第２の無線通信方式により起動信号を送信させ、
前記第３の通信部が受信する前記起動信号に基づいて予め定められた情報処理を前記情報処理部に実行させる
通信方法。
【発明の詳細な説明】
【技術分野】
【０００１】
本発明は、通信システム、半導体装置、電子機器および通信方法、特に携帯端末と連携し通信距離の拡大を図る通信システム、半導体装置、電子機器および通信方法に関する。
【背景技術】
【０００２】
近年、特定の人物や動物等（以下、「探索対象」）の位置を特定するシステム（以下、「位置特定システム」）の実現が求められている。例えば、高齢化社会の到来に伴う要介護老人の徘徊の問題が挙げられる。すなわち、徘徊する老人の位置が特定可能なシステムが実現されれば、介護者の負担軽減に資する。また、近年のペットブームを背景とするペットの逃走が挙げられる。逃走するペットの位置が特定されれば、飼い主の心理的負担が軽減される。
【０００３】
一方、上記のような位置特定システムにおいては、ＧＰＳ（Ｇｌｏｂａｌ  Ｐｏｓｉｔｉｏｎｉｎｇ  Ｓｙｓｔｅｍ）や、Ｂｌｕｅｔｏｏｔｈ（登録商標）等の近距離無線通信、地図情報等のさまざまな資源の利用も検討されてきている。
【０００４】
上記のような位置特定システムの従来技術として、特許文献１に開示されたＧＰＳと無線を利用した徘徊予防装置が知られている。特許文献１に開示された徘徊予防装置では、老人が携帯する老人用端末と、介護者が携帯する探索者用端末からなる。老人用端末はＧＰＳレシーバと無線送信機から構成され、老人が自宅から一定距離離れた場合に無線送信機が自動的に起動し、老人の位置等が探索者用端末に送信される。探索者用端末は、無線受信機と地図画面を備え、老人用端末から送信された位置等を受信し老人の位置を地図画面に表示する。
【０００５】
また、Ｂｌｕｅｔｏｏｔｈ（登録商標）から派生した通信方式であるＢＬＥ（Ｂｌｕｅｔｏｏｔｈ（登録商標）  Ｌｏｗ  Ｅｎｅｒｇｙ）を利用した従来技術として、特許文献２に開示された徘徊防止システムが知られている。特許文献２に開示された徘徊防止システムは、ＢＬＥ通信におけるスレーブとしての機能を有する１つ以上の発信装置と、ＢＬＥ通信におけるマスタとしての機能を有する携帯端末とを有し、発信装置は被介護者に保持され、携帯端末は受信した１つ以上のブロードキャスト信号に対応する発信装置について、その固有情報および発信装置との間の距離の情報をブロードキャスト信号の内容から取得し、固有情報に基づいて発信装置を保持する被介護者を特定する情報を取得し、被介護者が所定の領域に所在するものと判断して、その旨を携帯端末の画面上に出力する。
【０００６】
一方、広範な監視領域内に種々のセンサを配置し、監視領域のセンサ情報を収集し、所定の処理系に送ってセンサ情報の解析等を行うセンシングシステムの開発も、近年盛んになってきている。
【先行技術文献】
【特許文献】
【０００７】
【特許文献１】特開２００４−３５７２６８号公報
【特許文献２】特開２０１６−０３３８１２号公報
【発明の概要】
【発明が解決しようとする課題】
【０００８】
ところで、上記のような位置特定システムの実現において、既存の設備を有効に利用できれば位置特定システムの利便性を高め、かつ低コスト化を図ることができると考えられる。例えば、スマートフォンに搭載されたＢＬＥ機能を利用して、探索対象の発するビーコン（無線標識）を受信し、受信信号に基づいてスマートフォンの地図アプリケーションに表示することが考えられる。また、サブギガヘルツ帯の電波を用い、探索対象の位置を矢印で表示する専用端末を用いる方法がある。
【０００９】
しかしながら、スマートフォンに搭載されたＢＬＥ機能を利用する方法では、スマートフォンに搭載されているＢＬＥ機能の電波の到達距離が２０ｍから３０ｍと短いため、広範囲の探索にはむかず、また、スマートフォンのＢＬＥ機能は無指向性のため、対象の方向は検出できないという問題があった。
【００１０】
また、専用端末を用いる方法では、電波の到達距離は１ｋｍ程度と広範囲で、かつ、指向性アンテナを搭載し、距離に加えて対象の方向もある程度検出できる。しかしながら、スマートフォンとの連携は取れないため、スマートフォンの資源や、スマートフォンを介して接続されるクラウド等の各種資源（ＧＰＳ情報、地図情報、計算能力等）を使用できないという問題があった。
【００１１】
さらに、上記のセンシングシステム等の広範な監視領域を有するシステムにおいても携帯端末を用いながら通信距離を拡大できれば、利便性の向上とともに低コスト化も図れると考えられる。すなわち、位置特定システムやセンシングシステム等に共通に用いることが可能な汎用的な通信システムが実現できれば至便である。
【００１２】
この点、特許文献１に開示されたＧＰＳと無線を利用した徘徊予防装置も、特許文献２に開示された徘徊防止システムも専用端末を用いるものであり、既存の設備の有効利用により低コスト化を図るという観点から検討されたものではなく、また通信システムの汎用化を図ろうとするものでもない。
【００１３】
本発明は、上述した課題を解決するためになされたものであり、より利便性が高い通信をより広範囲で行うことが可能であり、かつ低コスト化が図れる通信システム、半導体装置、電子機器および通信方法を提供することを目的とする。
【課題を解決するための手段】
【００１４】
本発明に係る通信システムは、第１の通信距離を有する第１の無線通信方式により通信を行う第１の通信部、および前記第１の通信距離よりも短い第２の通信距離を有する第２の無線通信方式により通信を行う第２の通信部を備えた第１の電子機器と、前記第２の通信部と通信を行う前記第２の無線通信方式の第３の通信部、および前記第２の通信部から送信される起動信号に基づいて予め定められた情報処理を実行する情報処理部を備えた第２の電子機器と、を含むものである。
【００１５】
本発明に係る半導体装置は、第１の通信距離を有する第１の無線通信方式により通信を行う第１の通信回路、および前記第１の通信距離よりも短い第２の通信距離を有する第２の無線通信方式により通信を行う第２の通信回路を備えた半導体装置であって、前記第２の無線通信方式の通信部、および情報処理を実行する情報処理部を備えた電子機器に前記第２の通信回路から前記通信部に起動信号を送信し、前記情報処理部により予め定められた処理を実行させるものである。
【００１６】
本発明に係る電子機器は、第１の通信距離を有する第１の無線通信方式により通信を行う第１の通信部、および前記第１の通信距離よりも短い第２の通信距離を有する第２の無線通信方式により通信を行う第２の通信部を備えた通信機器の、前記第２の通信部と通信を行う前記第２の無線通信方式の第３の通信部、および前記第２の通信部から前記第３の通信部に送信される起動信号に基づいて予め定められた情報処理を実行する情報処理部を備えたものである。
【００１７】
一方、本発明に係る通信方法は、第１の通信距離を有する第１の無線通信方式により通信を行う第１の通信部、および前記第１の通信距離よりも短い第２の通信距離を有する第２の無線通信方式により通信を行う第２の通信部を備えた第１の電子機器から、前記第２の通信部と通信を行う前記第２の無線通信方式の第３の通信部、および情報処理を実行する情報処理部を備えた第２の電子機器に前記第２の無線通信方式により起動信号を送信させ、前記第３の通信部が受信する前記起動信号に基づいて予め定められた情報処理を前記情報処理部に実行させるものである。
【発明の効果】
【００１８】
本発明によれば、より利便性が高い通信をより広範囲で行うことが可能であり、かつ低コスト化が図れる通信システム、半導体装置、電子機器および通信方法を提供することが可能となる。
【図面の簡単な説明】
【００１９】
【図１】第１の実施の形態に係る通信システムの構成の一例を示すブロック図である。
【図２】（ａ）は第１の実施の形態に係る送信機側のタグの構成の一例を示すブロック図、（ｂ）は受信機側のタグの構成の一例を示すブロック図、（ｃ）は携帯端末の構成の一例を示すブロック図である。
【図３】第１の実施の形態に係る通信システムの通信手順を示すシーケンス図である。
【図４】第２の実施の形態に係る通信システムの構成の一例を示すブロック図である。
【図５】第２の実施の形態に係るセンサノードの構成の一例を示すブロック図である。
【発明を実施するための形態】
【００２０】
以下、図面を参照して、本発明を実施するための形態について詳細に説明する。
【００２１】
［第１の実施の形態］
図１から図３を参照して、本実施の形態に係る通信システムとしての位置特定システム、半導体装置、電子機器および通信方法について説明する。本実施の形態に係る位置特定システムは探索対象の位置を特定するシステムであるが、探索対象としては特に限定されない。例えば、人(徘徊老人）や動物（ペット）の他、登山者、あるいは駐車場に駐車した移動体等であってもよい。以下では、徘徊老人等の要介護者を例示して説明する。また、以下の説明では探索対象を探索する者を「探索者」という。本実施の形態では、探索者として要介護者を介護する介護者を例示して説明する。さらに、本実施の形態では、探索対象と探索者の存する環境についての制限もないが、本実施の形態では要介護者と介護者（家族等）が居住する居宅を例示して説明する。
【００２２】
図１は、本実施の形態に係る位置特定システム１０の構成の一例を示すブロック図である。図１に示すように、本実施の形態に係る位置特定システム１０は、タグ１２、タグ１４、および携帯端末１６を含んで構成されている。図２（ａ）はタグ１２の構成の一例を、図２（ｂ）はタグ１４の構成の一例を、図２（ｃ）は携帯端末１６の構成の一例を、各々示している。タグ１４、携帯端末１６が各々本発明に係る「半導体装置」、「電子機器」に対応している。
【００２３】
位置特定システム１０では、要介護者がタグ１２を保持し、介護者がタグ１４および携帯端末１６を保持する。タグ１２は所定の電波を発信し、タグ１４は当該電波を受信するとともに受信したことを通信機能を介して携帯端末１６に送信する。本実施の形態では、タグ１２とタグ１４との間の電波が比較的長距離に対応した周波数帯とされ、タグ１４と携帯端末１６との間の通信機能が比較的短距離に対応した標準的な方式とされている。
【００２４】
要介護者が保持する発信機であるタグ１２は、介護者に向けて所定の電波を発する機能を有する。介護者に送る電波の形態は、比較的長距離に対応した電波であれば特に限定されないが、本実施の形態では、サブギガヘルツ帯（以下、「サブＧ」）の電波としている。通信方式としては、例えば、ＬＰＷＡ（Ｌｏｗ  Ｐｏｗｅｒ  Ｗｉｄｅ  Ａｒｅａ）等の９２０ＭＨｚ帯の無線通信方式を用いることができる。図２（ａ）に示すように、本実施の形態に係るタグ１２はサブＧ送信機２０およびサブＧ送信用のアンテナＡＴ１を備えている。サブＧ送信機２０は、サブＧのビーコン信号をアンテナＡＴ１を介して定期的（間欠的）発信する。
【００２５】
介護者が保持する受信機であるタグ１４は、要介護者の保持するタグ１２から発信された電波を受信し、介護者の保持する携帯端末１６に当該電波の受信情報を送信する機能を有する。図２（ｂ）に示すように、本実施の形態に係るタグ１４は、タグ１２からの電波を受信するサブＧ受信機２２、サブＧ受信用のアンテナＡＴ１、携帯端末１６との通信を行うＢＬＥ通信部２４、およびＢＬＥ通信用のアンテナＡＴ２を備えている。携帯端末１６に送信する場合の通信方式は特に限定されないが、本実施の形態では近距離無線通信として標準的なＢＬＥ方式としている。
【００２６】
サブＧ受信機２２はタグ１２から送信されたサブＧの電波をアンテナＡＴ１を介して受信する機能を有する。ＢＬＥ通信部２４は、タグ１２からの電波を受信したことをアンテナＡＴ２を介して携帯端末１６に送信する機能を有する。
【００２７】
介護者が保持する携帯端末１６はハードウエアとしては既存のものを用いることが可能であり、本実施の形態では一例としてスマートフォンとしている。しかしながらこれに限られず、例えばタブレット端末等を用いてもよい。図２（ｃ）に示すように、本実施の形態に係る携帯端末１６は、ＢＬＥ通信部２６、ＢＬＥ通信用のアンテナＡＴ２、ＧＰＳ受信部２８、ＧＰＳ受信用のアンテナＡＴ３、制御部３０、およびメモリ３２を備えている。
【００２８】
ＢＬＥ通信部２６は、アンテナＡＴ２を介してタグ１４から送信されたＢＬＥ信号を受信する機能を有する。ＧＰＳ受信部２８は、ＧＰＳ受信用のアンテナＡＴ３を介しＧＰＳ衛星（図示省略）からＧＰＳ位置情報を受信する。メモリ３２は後述するアプリケーション等が格納される記憶媒体であり、例えばＲＯＭ（Ｒｅａｄ  Ｏｎｌｙ  Ｍｅｍｏｒｙ）等が用いられる。制御部３０は、携帯端末１６の全体を統括制御する機能を有する、例えばＣＰＵ（Ｃｅｎｔｒａｌ  Ｐｒｏｃｅｓｓｉｎｇ  Ｕｎｉｔ）等を含んで構成されている。
【００２９】
携帯端末１６は介護者によって保持されるが、本実施の形態でいう保持とは携行に限られず、例えば居宅内に配置しておくことも含む。また、介護者により保持されるタグ１４は小型のものであり、携帯端末１６と同時に携行されてもよいし、携帯端末１６と同じ場所に配置されてもよい。さらには、タグ１４を携帯端末１６のストラップとして構成し、携帯端末１６に常時付随させておくようにしてもよい。
【００３０】
次に、図３を参照して、位置特定システム１０の動作について説明する。図３のステップＳ１に示すように、介護者は保持する携帯端末１６（図３では「スマホ」と表記）にインストールされている位置特定システム１０のアプリケーションプログラム（図３では、「アプリケーション」と表記）を起動させておく。アプリケーションプログラムの内容について特に制限はないが、本実施の形態では一例として要介護者の位置を表示する地図アプリケーションとしている。
【００３１】
図３に示すように、要介護者の保持するタグ１２（図３では「ビーコン送信機」と表記）は定期的にサブＧのビーコンを送信している（図３で、番号１、３、５が付された信号）。介護者の保持するタグ１４（図３では「ビーコン受信機」と表記）はこのビーコンを受信し、受信電波の強度データをＢＬＥ通信部２４を介して携帯端末１６のＢＬＥ通信部２６に送信する（図３で、番号２、４、６が付された信号）。
【００３２】
携帯端末１６は、この受信電波の強度データをＢＬＥ通信部２６を介して受信している。介護者は必要に応じて携帯端末１６に指示を与え、アプリケーションプログラムを実行させる。この指示により携帯端末１６は、ステップＳ２に示すように、要介護者の位置までの距離や位置を推定し、ステップＳ３に示すように要介護者の位置を地図上に表示する。要介護者の距離や位置は、携帯端末１６が受信するＧＰＳ情報により特定される携帯端末１６の位置に基づいて推定される。介護者は地図上に表示された要介護者の距離、位置を確認し、必要に応じて探索に向かう等の対策を講ずる。本実施の形態では、携帯端末１６が備えるＧＰＳ受信部２８により要介護者の距離、位置を推定する形態を例示して説明するが、むろん要介護者が保持するタグ１２にＧＰＳ受信機能を設け、ＧＰＳ位置情報を含む情報を介護者が保持するタグ１４に送信する形態としてもよい。
【００３３】
以上のように、本実施の形態に係る位置特定システムによれば、探索対象と探索者との間はサブＧの専用機でビーコンの送受信を行っているので、電波の到達距離も大きくでき広範囲の探索が可能となる。また、専用の受信機を使うことで電波の到来方向も推定できる。加えて、スマートフォン（携帯端末）との間をスマートフォンに多く搭載されているＢＬＥで通信を行っているので、スマートフォンやクラウド上の各種資源（現在の位置情報、地図情報、処理能力等）を使用でき、探索対象の位置特定における利便性の向上が期待できる。すなわち、本実施の形態に係る位置特定システムによれば、より利便性が高い通信をより広範囲で行うことが可能であり、かつ低コスト化が図れる通信システム、半導体装置、電子機器および通信方法を提供することが可能となる。
【００３４】
なお、本実施の形態では要介護者のタグ１２が間欠的にビーコンを発信する形態を例示して説明したが、これに限られず、常時ビーコンを発信する形態としてもよい。また、本実施の形態では介護者が携帯端末１６に指示を与えて要介護者の位置を地図上に表示させる形態を例示して説明したが、これに限られず常時要介護者の位置を地図上に表示させておく形態としてもよい。さらに、携帯端末１６にタグ１４から受信する電波強度に対する予め定められた閾値を設定しておき、受信する電波が該閾値より低下した場合に携帯端末１６がアラームを発出するような機能を本実施の形態に係る位置特定システム１０に付加してもよい。
【００３５】
［第２の実施の形態］
図４および図５を参照して、本実施の形態に係る通信システムについて説明する。本実施の形態は、本発明に係る通信システムをセンシングシステムにおける設置・保守システムとして実現した形態である。本実施の形態に係るセンシングシステムにおいてセンシングする場所、対象等に特に制限はないが、本実施の形態では畑において気温や湿度をセンシングするシステムを例示して説明する。
【００３６】
図４に示すように、本実施の形態に係るセンシングシステム６０は、ゲートウエイ４０、センサノード４２−１、４２−２（以下、総称する場合は「センサノード４２」）、および設置・保守システム７０を含んで構成されている。
【００３７】
図５は、本実施の形態に係るセンサノード４２の構成の一例を示している。図５に示すように、センサノード４２は、センサ６２、サブＧ送信機４４、サブＧの電波を送信するアンテナＡＴ１、ＢＬＥ通信部４６、ＢＬＥ信号の送受信を行うアンテナＡＴ２を含んで構成されている。サブＧ送信機４４はサブＧ送信機２０と同様の機能を有し、ＢＬＥ通信部４６はＢＬＥ通信部２４と同様の機能を有しているので、詳細な説明は省略する。センサ６２は、上述したように気温、湿度等のセンサである。サブＧ送信機４４およびアンテナＡＴ１が、センシングシステム６０の通常の（稼働時の）機能を担い、ＢＬＥ通信部４６およびアンテナＡＴ２が設置・保守システムの機能を担っている。
【００３８】
センサノード４２は畑の必要な箇所に配置されている。本実施の形態ではセンサノード４２を２つ配置する形態を例示して説明するが、むろんセンサノード４２は畑の大きさ等に応じて１つ配置する形態としてもよいし、３つ以上配置する形態としてもよい。
【００３９】
ゲートウエイ４０はサブＧ受信機（図示省）およびサブＧの電波を受信するアンテナＡＴ１を備え、センサノード４２からの監視データを収集し、インターネットを介してクラウド５０等の処理系に送信する機能を有している。
【００４０】
センシングシステム６０は、通常時（稼働時）においては、センサ６２で測定された監視データがサブＧの電波によりゲートウエイ４０に定期的に送信される。つまり、センサノード４２は定期的に監視データを含むビーコン信号をゲートウエイ４０に向けて発信している。
【００４１】
一方、設置・保守システム７０は、センサノード４２のＢＬＥ通信部４６と携帯端末１６Ａを含んで構成されている。携帯端末１６Ａは携帯端末１６と同じものでもよい。本実施の形態では以下同じものとして説明する。本携帯端末１６Ａは、センシングシステム６０の運用者（以下、「運用者」）によって携行される。
【００４２】
以上の構成を有する設置・保守システム７０の設置時の動作について説明する。設置時において畑の各箇所に配置されたセンサノード４２に対し、運用者は初期設定を行う必要がある。初期設定とは、各センサノード４２に対して、例えばＩＤ（ＩＤｅｎｔｉｆｉｃａｔｉｏｎ）、緯度、経度等の位置情報、通信のためのＩＰ（Ｉｎｔｅｒｎｅｔ  Ｐｒｏｔｏｃｏｌ）アドレス等を付与する設定である。むろん初期設定情報としてはこれら以外にさまざまな情報を設定してもよい。なお、初期設定情報のうち緯度、経度の情報はＧＰＳ受信部２８から取得することもできる。
【００４３】
この初期設定において、運用者は、各センサノード４２の初期設定情報を格納した携帯端末１６Ａを携行して畑に赴き、ＢＬＥ通信経由でセンサノード４２と接続する。そして、ＢＬＥ通信部２６、アンテナＡＴ２を介してセンサノード４２のＢＬＥ通信部４６に初期設定情報を送信する。初期設定の内容は、一例として各々のセンサノード４２へのＩＤ、ＩＰアドレス等の付与、緯度、経度の設定、対応するゲートウエイ４０の設定等である。これにより、各センサノード４２の初期設定が実行される。
【００４４】
上記の処理手順を有する、本実施の形態に係る設置・保守システム７０の設置手順によれば、以下の効果を奏する。すなわち、通常は各センサノード４２は工場等において予め初期設定を行った上で出荷され、畑では初期設定で設定された位置に配置される。しかしながら、本実施の形態に係る設置手順によれば畑等の現場で、センサノード４２が設置された環境に応じて初期設定を行うことができるので、より簡易で融通性のある設置手順を実現することができる。
【００４５】
一方、設置・保守システム７０は、保守時には以下のように動作する。例えば、センシングシステム６０の通常動作で障害、例えばセンサノード４２からの監視データがゲートウエイ４０で受信できない等の障害が発生した場合、運用者は保守用アプリケーションを格納した携帯端末１６Ａを携行して畑に赴き、ＢＬＥ通信経由でセンサノード４２と接続する。そして、ＢＬＥ通信部２６、アンテナＡＴ２を介してセンサノード４２における監視データを直接収集する。このことにより、監視データの喪失等に対して迅速に対応することが可能となる。
【００４６】
以上のように本実施の形態に係る設置・保守システムによれば、ネットワーク設定前や、障害発生時においてクラウド経由でセンサノードの情報が取得できない場合や、あるいは設定ができない場合でも、ＢＬＥ経由で直接センサノードの情報にアクセスでき、整備性の向上が期待できる。
【００４７】
なお、本実施の形態では保守時の機能として監視データの直接収集を例示して説明したが、これに限られない。例えば上記保守用アプリケーションとしてセンサノード４２自体の動作状態を診断するプログラムを備えさせ、ＢＬＥ経由で診断し、例えばセンサノード４２の交換時期等を報知するような機能を設けてもよい。
【符号の説明】
【００４８】
１０    位置特定システム
１２    タグ
１４    タグ
１６、１６Ａ  携帯端末
２０    サブＧ送信機
２２    サブＧ受信機
２４    ＢＬＥ通信部
２６    ＢＬＥ通信部
２８    ＧＰＳ受信部
３０    制御部
３２    メモリ
４０    ゲートウエイ
４２、４２−１、４２−２  センサノード
４４    サブＧ送信機
４６    ＢＬＥ通信部
５０    クラウド
６０    センシングシステム
６２    センサ
７０  設置・保守システム
ＡＴ１、ＡＴ２、ＡＴ３  アンテナ
【図１】
2018137564.tif 000003
【図２】
2018137564.tif 000004
【図３】
2018137564.tif 000005
【図４】
2018137564.tif 000006
【図５】
2018137564.tif 000007